【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）によって、セル識別子（ＩＤ）を取得するためにセルサーチを行うことと、
前記ＵＥによって、前記セルＩＤに基づいてメッセージを復号することと、ここにおいて、前記メッセージは、マスタ情報ブロック（ＭＩＢ）を含み、
前記ＵＥによって、前記ＭＩＢから復号された情報に基づいて、１つまたは複数の最小システム情報ブロック（ＭＳＩＢ）の単一周波数ネットワーク（ＳＦＮ）型送信のために使用される仮想セルＩＤを識別することと、
前記ＭＩＢ中のフラグに基づいて、前記１つまたは複数のＭＳＩＢのための前記仮想セルＩＤが、ランダムアクセス、他のシステム情報（ＯＳＩ）および／またはページングを含む１つまたは複数のプロセスのためにも使用され得るかを決定することと、
前記１つまたは複数のＭＳＩＢのための前記仮想セルＩＤが前記１つまたは複数のプロセスのために使用され得ないと決定された場合、前記ＵＥによって、ＭＳＩＢから、またはＯＳＩから復号された情報に基づいて、前記１つまたは複数のプロセスのうちの少なくとも１つのためのＳＦＮ型送信のための仮想セルＩＤを識別することと
を備える、方法。
【請求項２】
前記ＵＥによって、前記仮想セルＩＤに基づいて複数のセルから前記ＳＦＮ型送信を受信すること
をさらに備える、請求項１に記載の方法。
【請求項３】
前記メッセージは、ＭＳＩＢを復号するための情報またはページングのための情報をさらに含む、請求項１に記載の方法。
【請求項４】
前記メッセージは、ランダムアクセスのための情報、ＯＳＩ捕捉、またはページングのための情報を含む、ＭＳＩＢをさらに含む、請求項１に記載の方法。
【請求項５】
前記メッセージは、ＭＳＩＢをさらに含み、仮想セルＩＤは、ＯＳＩ、メッセージ２（Ｍｓｇ２）、またはメッセージ３（Ｍｓｇ３）のうちの少なくとも１つのＳＦＮ型送信のために前記ＭＳＩＢから復号された前記情報に基づいて識別される、請求項１に記載の方法。
【請求項６】
前記メッセージは、ＭＳＩＢまたはＯＳＩをさらに含み、仮想セルＩＤは、アイドルモード中の１つまたは複数のＵＥへの少なくともページングメッセージのＳＦＮ型送信のためにＭＩＢ、ＭＳＩＢまたはＯＳＩから復号された前記情報に基づいて識別される、請求項１に記載の方法。
【請求項７】
ワイヤレス通信のためのユーザ機器（ＵＥ）装置であって、
セル識別子（ＩＤ）を取得するためにセルサーチを行うための手段と、
前記セルＩＤに基づいてメッセージを復号するための手段と、ここにおいて、前記メッセージは、マスタ情報ブロック（ＭＩＢ）を含み、
前記ＭＩＢから復号された情報に基づいて、１つまたは複数の最小システム情報ブロック（ＭＳＩＢ）の単一周波数ネットワーク（ＳＦＮ）型送信のために使用される仮想セルＩＤを識別するための手段と、
前記ＭＩＢ中のフラグに基づいて、前記１つまたは複数のＭＳＩＢのための前記仮想セルＩＤが、ランダムアクセス、他のシステム情報（ＯＳＩ）および／またはページングを含む１つまたは複数のプロセスのためにも使用され得るかを決定するための手段と、
前記１つまたは複数のＭＳＩＢのための前記仮想セルＩＤが前記１つまたは複数のプロセスのために使用され得ないと決定された場合、ＭＳＩＢから、またはＯＳＩから復号された情報に基づいて、前記１つまたは複数のプロセスのうちの少なくとも１つのためのＳＦＮ型送信のための仮想セルＩＤを識別するための手段と
を備える、装置。
【請求項８】
ワイヤレス通信の方法であって、
基地局によって、１つまたは複数の単一周波数ネットワーク（ＳＦＮ）型送信を決定することと、
セル識別子（ＩＤ）に基づいてメッセージをブロードキャストすることと、ここにおいて、前記メッセージは、マスタ情報ブロック（ＭＩＢ）を含み、
前記基地局によって、前記ＭＩＢ中で、１つまたは複数の最小システム情報ブロック（ＭＳＩＢ）のための前記決定された１つまたは複数のＳＦＮ型送信のために使用される仮想セル識別子（ＩＤ）を送ることと、
前記基地局によって、前記１つまたは複数のＭＳＩＢのための前記仮想セルＩＤが、ランダムアクセス、他のシステム情報（ＯＳＩ）および／またはページングを含む１つまたは複数のプロセスのためにも使用され得るかを示すために前記ＭＩＢ中でフラグを送信することと、
前記１つまたは複数のＭＳＩＢのための前記仮想セルＩＤが前記１つまたは複数のプロセスのために使用され得ないと決定された場合、前記基地局によって、ＭＳＩＢ中で、またはＯＳＩ中で、前記１つまたは複数のプロセスのうちの少なくとも１つのためのＳＦＮ型送信のために使用される仮想セルＩＤをシグナリングすることと
を備える、方法。
【請求項９】
前記１つまたは複数のＳＦＮ型送信は、同じ仮想セルＩＤを有する複数のセルからの複数のＳＦＮ型送信を含む、および／または、
１つまたは複数のＭＳＩＢの前記１つまたは複数のＳＦＮ型送信は、対応する制御チャネルおよび参照信号の前記１つまたは複数のＳＦＮ型送信を含む、請求項８に記載の方法。
【請求項１０】
前記１つまたは複数のプロセスのＳＦＮ型送信のための前記仮想セルＩＤを送ることは、ＯＳＩ、Ｍｓｇ２、またはＭｓｇ３のうちの少なくとも１つの１つまたは複数のＳＦＮ型送信のためにＭＳＩＢ中で前記仮想セルＩＤを送ることを備える、および、
ＯＳＩ、Ｍｓｇ２、またはＭｓｇ３のうちの少なくとも１つの前記１つまたは複数のＳＦＮ型送信は、対応する制御チャネルおよび参照信号の前記１つまたは複数のＳＦＮ型送信を含む、請求項８に記載の方法。
【請求項１１】
仮想セルＩＤを送ることは、アイドルモード中の１つまたは複数のＵＥへの少なくともページングメッセージの前記１つまたは複数のＳＦＮ型送信のために、前記ＭＩＢ、ＭＳＩＢ、またはＯＳＩ中で前記仮想セルＩＤを送ることを備える、請求項８に記載の方法。
【請求項１２】
前記仮想セルＩＤは、ランダムアクセスおよびページングのために使用される、請求項１または請求項８に記載の方法。
【請求項１３】
前記仮想セルＩＤは、前記セルＩＤの切り捨てされたバージョンである、請求項１または請求項８に記載の方法。
【請求項１４】
命令を記憶するコンピュータ可読媒体であって、前記命令は、ユーザ機器（ＵＥ）装置の少なくとも１つのプロセッサによって実行されるとき、前記ＵＥ装置に、請求項１乃至６の何れかに記載の方法を実行させる、または、前記命令は、基地局装置の少なくとも１つのプロセッサによって実行されるとき、前記基地局装置に、請求項８乃至１３の何れかに記載の方法を実行させる、コンピュータ可読媒体。
【請求項１５】
ワイヤレス通信のための基地局装置であって、
１つまたは複数の単一周波数ネットワーク（ＳＦＮ）型送信を決定するための手段と、  セル識別子（ＩＤ）に基づいてメッセージをブロードキャストするための手段と、ここにおいて、前記メッセージは、マスタ情報ブロック（ＭＩＢ）を含み、
前記ＭＩＢ中で、１つまたは複数の最小システム情報ブロック（ＭＳＩＢ）の前記決定された１つまたは複数のＳＦＮ型送信のために使用される仮想セルＩＤを送るための手段と、
前記１つまたは複数のＭＳＩＢのための前記仮想セルＩＤが、ランダムアクセス、他のシステム情報（ＯＳＩ）および／またはページングを含む１つまたは複数のプロセスのためにも使用され得るかを示すために前記ＭＩＢ中でフラグを送信するための手段と、
前記１つまたは複数のＭＳＩＢのための前記仮想セルＩＤが前記１つまたは複数のプロセスのために使用され得ないと決定された場合、ＭＳＩＢから、またはＯＳＩから復号された情報に基づいて、前記１つまたは複数のプロセスのうちの少なくとも１つのためのＳＦＮ型送信のための仮想セルＩＤをシグナリングするための手段と
を備える、装置。
【手続補正２】
【補正対象書類名】明細書
【補正対象項目名】００７２
【補正方法】変更
【補正の内容】
【００７２】
[0079]  以上の説明は、本明細書で説明される様々な態様を当業者が実施可能となるように提供したものである。これらの態様に対する様々な変更は、当業者には容易に明らかであり、本明細書で定義した一般的原理は他の態様に適用され得る。よって、特許請求の範囲は、本明細書に示される態様に限定されるものではなく、特許請求の範囲の文言に矛盾しない最大限の範囲を与えられるべきであり、ここで、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。項目のリスト「のうちの少なくとも１つ」に関するフレーズは、単一の要素を含む、これらの項目のうちの任意の組み合わせを指す。例として、「ａ、ｂ、またはｃのうちの少なくとも１つ」は、ａ、ｂ、ｃ、ａおよびｂ、ａおよびｃ、ｂおよびｃ、並びに、ａ、ｂおよびｃをカバーすることを意図する。当業者に知られている、または後に知られることになる、本開示全体にわたって説明した様々な態様の要素の全ての構造的および機能的均等物は、参照により本明細書に明示的に組み込まれ、特許請求の範囲に包含されることが意図されている。さらに、本明細書に開示したいかなることも、そのような開示が特許請求の範囲に明示的に記載されているかどうかに関わらず、公衆に献呈されるものではない。
以下に本願の出願当初の特許請求の範囲に記載された発明を付記する。
［書類名］特許請求の範囲
［Ｃ１］
ワイヤレス通信の方法であって、
ユーザ機器（ＵＥ）によって、セル識別子（ＩＤ）を取得するためにセルサーチを行うことと、
前記ＵＥによって、前記セルＩＤに基づいてメッセージを復号することと、ここにおいて、前記メッセージは、マスタ情報ブロック（ＭＩＢ）を含み、
前記ＵＥによって、前記メッセージから復号された情報に基づいて、単一周波数ネットワーク（ＳＦＮ）型送信のために使用される仮想セルＩＤを識別することと
を備える、方法。
［Ｃ２］
前記ＵＥによって、前記仮想セルＩＤに基づいて複数のセルから前記ＳＦＮ型送信を受信すること
をさらに備える、Ｃ１に記載の方法。
［Ｃ３］
前記メッセージは、最小システム情報ブロック（ＭＳＩＢ）を復号するための情報またはページングのための情報をさらに含む、Ｃ１に記載の方法。
［Ｃ４］
前記メッセージは、ランダムアクセスのための情報、他のシステム情報（ＯＳＩ）捕捉、またはページングのための情報を含む、ＭＳＩＢをさらに含む、Ｃ１に記載の方法。
［Ｃ５］
前記仮想セルＩＤは、１つまたは複数のＭＳＩＢのＳＦＮ型送信のために前記ＭＩＢから復号された前記情報に基づいて識別される、Ｃ１に記載の方法。
［Ｃ６］
前記メッセージは、ＭＳＩＢをさらに含み、前記仮想セルＩＤは、ＯＳＩ、メッセージ２（Ｍｓｇ２）、またはメッセージ３（Ｍｓｇ３）のうちの少なくとも１つのＳＦＮ型送信のために前記ＭＳＩＢから復号された前記情報に基づいて識別される、Ｃ１に記載の方法。
［Ｃ７］
前記メッセージは、ＭＳＩＢまたはＯＳＩをさらに含み、前記仮想セルＩＤは、アイドルモード中の１つまたは複数のＵＥへの少なくとも１つのページングメッセージのＳＦＮ型送信のために前記メッセージから復号された前記情報に基づいて識別される、Ｃ１に記載の方法。
［Ｃ８］
前記仮想セルＩＤは、ランダムアクセスおよびページングのために使用される、Ｃ１に記載の方法。
［Ｃ９］
前記仮想セルＩＤは、前記セルＩＤの切り捨てされたバージョンである、Ｃ１に記載の方法。
［Ｃ１０］
ワイヤレス通信のための装置であって、
命令を記憶するように構成されたメモリと、
トランシーバと、
前記メモリおよび前記トランシーバと通信可能に結合された少なくとも１つのプロセッサと
を備え、前記少なくとも１つのプロセッサは、
セル識別子（ＩＤ）を取得するためにセルサーチを行うことと、
前記セルＩＤに基づいてメッセージを復号することと、ここにおいて、前記メッセージは、マスタ情報ブロック（ＭＩＢ）を含み、
前記メッセージから復号された情報に基づいて、単一周波数ネットワーク（ＳＦＮ）型送信のために使用される仮想セルＩＤを識別することと
を行うための前記命令を実行するように構成される、装置。
［Ｃ１１］
前記少なくとも１つのプロセッサは、前記トランシーバを介して、前記仮想セルＩＤに基づいて複数のセルから前記ＳＦＮ型送信を受信するための前記命令を実行するようにさらに構成される、Ｃ１０に記載の装置。
［Ｃ１２］
前記メッセージは、最小システム情報ブロック（ＭＳＩＢ）を復号するための情報またはページングのための情報をさらに含む、Ｃ１０に記載の装置。
［Ｃ１３］
前記メッセージは、ランダムアクセスのための情報、他のシステム情報（ＯＳＩ）捕捉、またはページングのための情報を含む、ＭＳＩＢをさらに含む、Ｃ１０に記載の装置。
［Ｃ１４］
前記仮想セルＩＤは、１つまたは複数のＭＳＩＢのＳＦＮ型送信のために前記ＭＩＢから復号された前記情報に基づいて識別される、Ｃ１０に記載の装置。
［Ｃ１５］
前記メッセージは、ＭＳＩＢをさらに含み、前記仮想セルＩＤは、ＯＳＩ、メッセージ２（Ｍｓｇ２）、またはメッセージ３（Ｍｓｇ３）のうちの少なくとも１つのＳＦＮ型送信のために前記ＭＳＩＢから復号された前記情報に基づいて識別される、Ｃ１０に記載の装置。
［Ｃ１６］
前記メッセージは、ＭＳＩＢまたはＯＳＩをさらに含み、前記仮想セルＩＤは、アイドルモード中の１つまたは複数のＵＥへの少なくとも１つのページングメッセージのＳＦＮ型送信のために前記メッセージから復号された前記情報に基づいて識別される、Ｃ１０に記載の装置。
［Ｃ１７］
前記仮想セルＩＤは、ランダムアクセスおよびページングのために使用される、Ｃ１０に記載の装置。
［Ｃ１８］
前記仮想セルＩＤは、前記セルＩＤの切り捨てされたバージョンである、Ｃ１０に記載の装置。
［Ｃ１９］
命令を記憶するコンピュータ可読媒体であって、前記命令は、少なくとも１つのプロセッサによって実行されるとき、前記少なくとも１つのプロセッサに、
セル識別子（ＩＤ）を取得するためにセルサーチを行うことと、
前記セルＩＤに基づいてメッセージを復号することと、ここにおいて、前記メッセージは、マスタ情報ブロック（ＭＩＢ）を含み、
前記メッセージから復号された情報に基づいて、単一周波数ネットワーク（ＳＦＮ）型送信のために使用される仮想セルＩＤを識別することと
を行わせる、コンピュータ可読媒体。
［Ｃ２０］
ワイヤレス通信のための装置であって、
セル識別子（ＩＤ）を取得するためにセルサーチを行うための手段と、
前記セルＩＤに基づいてメッセージを復号するための手段と、ここにおいて、前記メッセージは、マスタ情報ブロック（ＭＩＢ）を含み、
前記メッセージから復号された情報に基づいて、単一周波数ネットワーク（ＳＦＮ）型送信のために使用される仮想セルＩＤを識別するための手段と
を備える、装置。
［Ｃ２１］
ワイヤレス通信の方法であって、
基地局によって、１つまたは複数の単一周波数ネットワーク（ＳＦＮ）型送信を決定することと、
セルＩＤに基づいてメッセージをブロードキャストすることと、ここにおいて、前記メッセージは、マスタ情報ブロック（ＭＩＢ）を含み、
前記基地局によって、前記決定された１つまたは複数のＳＦＮ型送信のために使用される仮想セル識別子（ＩＤ）を送ることと、
を備える、方法。
［Ｃ２２］
前記１つまたは複数のＳＦＮ型送信は、同じ仮想セルＩＤを有する複数のセルからの複数のＳＦＮ型送信を含む、Ｃ２１に記載の方法。
［Ｃ２３］
前記仮想セルＩＤを送ることは、前記ＭＩＢ中で、ＭＳＩＢ中で、またはＯＳＩを介して、前記仮想セルＩＤを送ることを備える、Ｃ２１に記載の方法。
［Ｃ２４］
前記仮想セルＩＤを送ることは、１つまたは複数のＭＳＩＢの前記１つまたは複数のＳＦＮ型送信のために前記ＭＩＢ中で前記仮想セルＩＤを送ることを備える、Ｃ２１に記載の方法。
［Ｃ２５］
１つまたは複数のＭＳＩＢの前記１つまたは複数のＳＦＮ型送信は、対応する制御チャネルおよび参照信号の前記１つまたは複数のＳＦＮ型送信を含む、Ｃ２４に記載の方法。
［Ｃ２６］
前記仮想セルＩＤを送ることは、ＯＳＩ、Ｍｓｇ２、またはＭｓｇ３のうちの少なくとも１つの前記１つまたは複数のＳＦＮ型送信のためにＭＳＩＢ中で前記仮想セルＩＤを送ることを備える、Ｃ２１に記載の方法。
［Ｃ２７］
ＯＳＩ、Ｍｓｇ２、またはＭｓｇ３のうちの少なくとも１つの前記１つまたは複数のＳＦＮ型送信は、対応する制御チャネルおよび参照信号の前記１つまたは複数のＳＦＮ型送信を含む、Ｃ２６に記載の方法。
［Ｃ２８］
前記仮想セルＩＤを送ることは、アイドルモード中の１つまたは複数のＵＥへの少なくともページングメッセージの前記１つまたは複数のＳＦＮ型送信のために、前記ＭＩＢ、ＭＳＩＢ、またはＯＳＩ中で前記仮想セルＩＤを送ることを備える、Ｃ２１に記載の方法。
［Ｃ２９］
前記仮想セルＩＤは、ランダムアクセスおよびページングのために使用される、Ｃ２１に記載の方法。
［Ｃ３０］
前記仮想セルＩＤは、前記セルＩＤの切り捨てされたバージョンである、Ｃ２１に記載の方法。
［Ｃ３１］
ワイヤレス通信のための装置であって、
命令を記憶するように構成されたメモリと、
トランシーバと、
前記メモリおよび前記トランシーバと通信可能に結合された少なくとも１つのプロセッサと
を備え、前記少なくとも１つのプロセッサは、
１つまたは複数の単一周波数ネットワーク（ＳＦＮ）型送信を決定することと、
前記トランシーバを介して、セルＩＤに基づいてメッセージをブロードキャストすることと、ここにおいて、前記メッセージは、マスタ情報ブロック（ＭＩＢ）を含み、
前記トランシーバを介して、前記決定された１つまたは複数のＳＦＮ型送信のために使用される仮想セル識別子（ＩＤ）を送ることと、
を行うための前記命令を実行するように構成される、装置。
［Ｃ３２］
前記１つまたは複数のＳＦＮ型送信は、同じ仮想セルＩＤを有する複数のセルからの複数のＳＦＮ型送信を含む、Ｃ３１に記載の装置。
［Ｃ３３］
前記仮想セルＩＤを送ることは、前記トランシーバを介して、前記ＭＩＢ中で、ＭＳＩＢ中で、またはＯＳＩを介して、前記仮想セルＩＤを送ることを備える、Ｃ３１に記載の装置。
［Ｃ３４］
前記仮想セルＩＤを送ることは、前記トランシーバを介して、１つまたは複数のＭＳＩＢの前記１つまたは複数のＳＦＮ型送信のために前記ＭＩＢ中で前記仮想セルＩＤを送ることを備える、Ｃ３１に記載の装置。
［Ｃ３５］
１つまたは複数のＭＳＩＢの前記１つまたは複数のＳＦＮ型送信は、対応する制御チャネルおよび参照信号の前記１つまたは複数のＳＦＮ型送信を含む、Ｃ３４に記載の装置。
［Ｃ３６］
前記仮想セルＩＤを送ることは、前記トランシーバを介して、ＯＳＩ、Ｍｓｇ２、またはＭｓｇ３のうちの少なくとも１つの前記１つまたは複数のＳＦＮ型送信のためにＭＳＩＢ中で前記仮想セルＩＤを送ることを備える、Ｃ３１に記載の装置。
［Ｃ３７］
ＯＳＩ、Ｍｓｇ２、またはＭｓｇ３のうちの少なくとも１つの前記１つまたは複数のＳＦＮ型送信は、対応する制御チャネルおよび参照信号の前記１つまたは複数のＳＦＮ型送信を含む、Ｃ３６に記載の装置。
［Ｃ３８］
前記仮想セルＩＤを送ることは、前記トランシーバを介して、アイドルモード中の１つまたは複数のＵＥへの少なくともページングメッセージの前記１つまたは複数のＳＦＮ型送信のために、前記ＭＩＢ、ＭＳＩＢ、またはＯＳＩ中で前記仮想セルＩＤを送ることを備える、Ｃ３１に記載の装置。
［Ｃ３９］
前記仮想セルＩＤは、ランダムアクセスおよびページングのために使用される、Ｃ３１に記載の装置。
［Ｃ４０］
前記仮想セルＩＤは、前記セルＩＤの切り捨てされたバージョンである、Ｃ３１に記載の装置。
［Ｃ４１］
命令を記憶するコンピュータ可読媒体であって、前記命令は、少なくとも１つのプロセッサによって実行されるとき、前記少なくとも１つのプロセッサに、
１つまたは複数の単一周波数ネットワーク（ＳＦＮ）型送信を決定することと、
前記トランシーバを介して、セルＩＤに基づいてメッセージをブロードキャストすることと、ここにおいて、前記メッセージは、マスタ情報ブロック（ＭＩＢ）を含み、
前記トランシーバを介して、前記決定された１つまたは複数のＳＦＮ型送信のために使用される仮想セル識別子（ＩＤ）を送ることと、
を行わせる、コンピュータ可読媒体。
［Ｃ４２］
ワイヤレス通信のための装置であって、
１つまたは複数の単一周波数ネットワーク（ＳＦＮ）型送信を決定するための手段と、  セルＩＤに基づいてメッセージをブロードキャストするための手段と、ここにおいて、前記メッセージは、マスタ情報ブロック（ＭＩＢ）を含み、
前記決定された１つまたは複数のＳＦＮ型送信のために使用される仮想セル識別子（ＩＤ）を送るための手段と
を備える、装置。